(57)【特許請求の範囲】
【請求項１】
輝度または色を個別に制御可能な複数のブロックから構成される光源装置であって、
入射面から光が入射され、出射面から光を出射する導光部と、
前記導光部の入射面に沿って配列された複数の光源と、
を有し、
前記複数の光源は、１つの光源群が１つのブロックに対応する、複数の光源群からなり、
１つの光源群は、複数の白色光源と複数の有色光源を含み、
１つの光源群に含まれる複数の有色光源のうち、同一の駆動条件で駆動した場合に最も光度の高い発光色の有色光源は、該光源群の両端に配置されており、
前記入射面に沿って配列された複数の光源に含まれる全ての白色光源は、等間隔に配置されており、
１つの光源群に含まれる前記複数の有色光源は、赤色光源、緑色光源、及び、黄色光源を含み、
１つの光源群に含まれる黄色光源は、該光源群に含まれる赤色光源または緑色光源のうち、少なくとも主波長の差が小さい方の光源に隣接して配置されている
ことを特徴とする光源装置。
【請求項２】
前記最も光度の高い発光色の有色光源は、緑色光源である
ことを特徴とする請求項１に記載の光源装置。
【請求項３】
１つの光源群は、複数の赤色光源を含み、
１つの光源群に含まれる複数の赤色光源は、互いに隣接して配置されている
ことを特徴とする請求項１または２に記載の光源装置。
【請求項４】
１つの光源群に含まれる発光色が同じ光源は、該光源群に対応するブロックの中心を基準として対称配置されている
ことを特徴とする請求項１〜３のいずれか１項に記載の光源装置。
【請求項５】
前記導光部は、ブロック毎に設けられた複数の導光部からなる
ことを特徴とする請求項１〜４のいずれか１項に記載の光源装置。
【請求項６】
光源の光度は、前記複数の光源を点灯させたときに、ブロックの中心位置と、該ブロックに隣接するブロックの中心位置との色差が、所定の閾値以下となるように決定されている
ことを特徴とする請求項１〜５のいずれか１項に記載の光源装置。
【請求項７】
ブロックを前記複数の光源の配列方向に２つに分割することにより得られる領域をサブブロックとした場合に、
光源の光度は、更に、前記複数の光源を点灯させたときに、サブブロックの中心位置と、該サブブロックに隣接する他のブロックのサブブロックの中心位置との色差が、所定の閾値以下となるように決定されている
ことを特徴とする請求項６に記載の光源装置。
【請求項８】
光源の光度は、前記複数の光源を点灯させたときに、ブロックの中心位置、及び、該ブロックに隣接するブロックの中心位置と、それら中心位置間の中点との色差が、所定の閾値以下となるように決定されている
ことを特徴とする請求項１〜５のいずれか１項に記載の光源装置。
【発明の詳細な説明】
【技術分野】
【０００１】
本発明は、白色光源と複数の有色光源とを有する光源装置に関する。
【背景技術】
【０００２】
液晶表示装置において所望の色温度の表示を行う方法は２つある。１つは、白色光源を用いてバックライト装置を構成し、映像信号処理により色温度を調整する方法である。もう１つは、赤色、緑色、青色など複数の原色光源を用いてバックライト装置を構成し、これらの原色光源を所望の色温度を実現する光度比で点灯して加法混色させる方法である。
【０００３】
上記２つの方法のうち、白色光源のみを用いてバックライト装置を構成する方法は、発光効率に優れるが表示色域が狭くなる。一方、複数の原色光源を用いてバックライト装置を構成する方法は、表示色域を広くできるが各光源の発光効率が低いため低消費電力化が困難である。そこで、バックライト装置を白色光源と複数の原色光源とを用いて構成し、白色光源と原色光源を所望の色温度を実現する光度比で点灯させることで広い表示色域と高い発光効率とを両立する方法が考えられる。
【０００４】
特許文献１には、導光板の長さ方向の両側にそれぞれ白色蛍光管、赤色蛍光管、緑色蛍光管及び青色蛍光管が配置され、白色蛍光管が導光板に最も近い位置に配置されているバックライト装置が開示されている。特許文献１に開示のバックライト装置によれば、蛍光管の劣化による光度の低下や色バランスの変化を、各蛍光管の光度を調整することにより補正することができる。
【０００５】
また、特許文献２には、複数の光源が等間隔で配列され、配列方向に隣接する光源同士では発光色が異なり、複数の光源から発せられた光を混合して照明光を出射するバックライト装置が開示されている。特許文献２に開示のバックライト装置では、発光色が照明光の発光色である少なくとも１つの光源が、側壁に最も近い光源となるように配置されている。
【先行技術文献】
【特許文献】
【０００６】
【特許文献１】特開２００１−３５１４２５号公報
【特許文献２】特開２００５−２４３３４７号公報
【発明の概要】
【発明が解決しようとする課題】
【０００７】
しかしながら、特許文献１に開示のバックライト装置では、光源（蛍光管）と導光板との距離が光源毎に異なるため、光源を配置する拡散空間が大きくなるという課題がある。そのため、ＬＥＤのように指向性が狭い光源は、特許文献１に開示のバックライト装置の光源には適合しない。
また、特許文献２に開示の技術は、白色光源を常時点灯させて側壁近辺の色ムラを低減する技術である。そのため、特許文献２に開示の技術では、表示色域を優先させるために側壁付近の白色光源の光度を低下させると輝度ムラが発生してしまうという課題がある。
【０００８】
このように、従来の方法では、原色光源に比べて白色光源の光度を高めて点灯する場合と、白色光源に比べて原色光源の光度を高めて点灯させる場合（原色光源のみを点灯させる場合を含む）との両方の場合において、バックライト装置の輝度ムラを抑制することが困難であった。
【０００９】
そこで、本発明は、有色光源の光度と白色光源の光度とをそれぞれ独立に制御する場合において、輝度ムラを抑制することのできる光源装置を提供することを目的とする。
【課題を解決するための手段】
【００１０】
本発明の光源装置は、
輝度または色を個別に制御可能な複数のブロックから構成される光源装置であって、
入射面から光が入射され、出射面から光を出射する導光部と、
前記導光部の入射面に沿って配列された複数の光源と、
を有し、
前記複数の光源は、１つの光源群が１つのブロックに対応する、複数の光源群からなり、
１つの光源群は、複数の白色光源と複数の有色光源を含み、
１つの光源群に含まれる複数の有色光源のうち、同一の駆動条件で駆動した場合に最も光度の高い発光色の有色光源は、該光源群の両端に配置されており、
前記入射面に沿って配列された複数の光源に含まれる全ての白色光源は、等間隔に配置されており、
１つの光源群に含まれる前記複数の有色光源は、赤色光源、緑色光源、及び、黄色光源を含み、
１つの光源群に含まれる黄色光源は、該光源群に含まれる赤色光源または緑色光源のうち、少なくとも主波長の差が小さい方の光源に隣接して配置されている
ことを特徴とする。
【発明の効果】
【００１１】
本発明によれば、有色光源の光度と白色光源の光度とをそれぞれ独立に制御する場合において、輝度ムラを抑制することができる。
【図面の簡単な説明】
【００１２】
【図１】タンデム型とエッジライト型のバックライト装置の構成の一例。
【図２】実施例１に係るバックライト装置の構成の一例。
【図３】実施例１に係る色度座標のグラフの一例。
【図４】実施例１に係るバックライト装置の構成の一例。
【図５】実施例１に係るバックライト装置の構成の一例。
【図６】実施例２に係るバックライト装置の構成の一例。
【図７】実施例２に係るバックライト装置の構成の一例。
【発明を実施するための形態】
【００１３】
＜実施例１＞
以下、本発明の実施例１に係るバックライト装置について説明する。本実施例に係るバックライト装置は、液晶表示装置用のバックライト装置である。
【００１４】
バックライト装置の制御方法としてローカルディミング制御と呼ばれる制御方法がある。ローカルディミング制御では、例えば、バックライト装置の発光面の領域毎に輝度または色が制御される。本実施例に係るバックライト装置は、ローカルディミング制御可能なバックライト装置である。具体的には、本実施例に係るバックライト装置は、輝度または色を個別に制御可能な複数のブロックから構成される。１ブロックは、ローカルディミング制御の最小単位である。
【００１５】
また、本発明は、タンデム型バックライト装置やエッジライト型（サイドライト型）バックライト装置に適用することができる。タンデム型バックライト装置とエッジライト型バックライト装置の構成の一例を図１（Ａ），（Ｂ）に示す。図１（Ａ），（Ｂ）は、液晶表示装置の画面に垂直な平面によって得られるバックライト装置の断面図である。なお
、図１（Ａ），（Ｂ）には、液晶パネルも示している。
タンデム型バックライト装置は、図１（Ａ）に示すように、光源が画面（液晶パネル）の領域内に配置されたバックライト装置である。
エッジライト型バックライト装置は、図１（Ｂ）に示すように、光源が画面の領域の縁部に配置されたバックライト装置である。
【００１６】
（構成）
本実施例に係るバックライト装置の構成の一例を図２（Ａ），（Ｂ）に示す。図２（Ａ）は正面図、図２（Ｂ）は側面図である。
本実施例に係るバックライト装置は、入射面から光が入射され、出射面から光を出射する導光板、導光板の入射面に沿って配列された複数の光源（本実施例ではＬＥＤ）、各光源を駆動する（各光源の光度（輝度）を制御する）ＬＥＤ駆動部などを有する。
図２（Ａ），（Ｂ）の例では、導光板は、ブロック毎に設けられた複数の導光板（導光板１００，２００）からなる。また、複数の光源は、１つの光源群（ＬＥＤ群）が１つのブロックに対応する、複数の光源群（ＬＥＤ組１０とＬＥＤ組１１からなる光源群と、ＬＥＤ組２０とＬＥＤ組２１からなる光源群）からなる。
【００１７】
導光板１００，２００は、例えば、矩形状の透明樹脂によって構成される。
導光板１００には、ＬＥＤ組１０，１１からの光が、導光板１００の１つの端面ａ（入射面）から入射される。入射された光は、導光板１００内で加法混色されたのち、導光板１００の下面ｂ（液晶パネル側とは反対側の面）に設けられたドットパターンなどの散乱部によって散乱される。そして、散乱された光は、導光板１００の上面ｃ（液晶パネル側の面；出射面）から出射される。なお、ドットパターンの代わりに反射シートなどが設けられていてもよい。光を反射（散乱）することができれば、どのような構成であってもよい。
【００１８】
導光板２００は、導光板１００に隣接して設けられている。
導光板２００には、ＬＥＤ組２０，２１からの光が、導光板２００の１つの端面ａから入射される。入射された光は、導光板２００内にて加法混色されたのち、導光板２００の下面ｂに設けられた散乱部によって散乱される。そして、散乱された光は、導光板２００の上面ｃから出射される。
【００１９】
本実施例では、１つの光源群が、複数の白色光源と複数の原色光源を含む。
具体的には、ＬＥＤ組１０は、白色ＬＥＤ（Ｗ）、赤色ＬＥＤ（Ｒ）、緑色ＬＥＤ（Ｇ）、および青色ＬＥＤ（Ｂ）から構成される。赤色ＬＥＤは、例えば、主波長が６１１ｎｍ以上の光源である。緑色ＬＥＤは、例えば、主波長が４９０ｎｍ〜５４９ｎｍの光源である。青色ＬＥＤは、例えば、主波長が４３０ｎｍ〜４９０ｎｍの光源である。各ＬＥＤは、回路基板（図示しない）に実装されている。各ＬＥＤの光度は、ユーザが指定した輝度や色に応じて調整される。
ＬＥＤ組１１，２０，２１は、それぞれ、ＬＥＤ組１０と同様に、白色ＬＥＤ、赤色ＬＥＤ、緑色ＬＥＤ、および青色ＬＥＤから構成される。
【００２０】
ＬＥＤ組１０は、導光板１００の端面ａの中心から端（導光板２００が隣接しない側の端）にかけて赤色ＬＥＤ、青色ＬＥＤ、白色ＬＥＤ、緑色ＬＥＤの順に配置されたＬＥＤ組（サブＬＥＤ群）である。
ＬＥＤ組１１は、導光板１００の端面ａの中心から端（導光板２００が隣接する側の端）にかけて赤色ＬＥＤ、青色ＬＥＤ、白色ＬＥＤ、緑色ＬＥＤの順に配置されたＬＥＤ組である。
ＬＥＤ組２０、ＬＥＤ組２１は、導光板２００の端面ａの中心から端にかけて赤色ＬＥＤ、青色ＬＥＤ、白色ＬＥＤ、緑色ＬＥＤの順に配置されたＬＥＤ組である。
即ち、本実施例では、１つの光源群に含まれる発光色が同じ光源は、該光源群に対応するブロックの中心を基準として対称配置されている。
【００２１】
（効果）
白色光源からの光は、輝度ムラへの影響が大きい。特に、発光効率を優先する場合（原色光源に比べて白色光源の光度を高めて点灯する場合（白色光源のみを点灯する場合を含む））には、白色光源からの光の輝度ムラへの影響は大きい。そのため、白色光源の間隔が不均一であると、間隔が狭い部分で明るく、間隔が広い部分で暗くなる輝度ムラが発生してしまう。
そこで、本実施例では、入射面に沿って配列された複数の光源（全ＬＥＤ）に含まれる全ての白色光源は、等間隔に配置される。
具体的には、ＬＥＤ組１０の白色ＬＥＤとＬＥＤ組１１の白色ＬＥＤとの配置間隔をＬｗi１と定義する。ＬＥＤ組１１の白色ＬＥＤと、それに隣接するＬＥＤ組２０の白色Ｌ
ＥＤとの配置間隔をＬｗｏと定義する。ＬＥＤ組２０の白色ＬＥＤとＬＥＤ組２１の白色ＬＥＤとの配置間隔をＬｗi２と定義する。そして、本実施例では、間隔Ｌｗi１，Ｌｗｏ，Ｌｗｉ２が全て等しくなるように白色ＬＥＤが配置される。
それにより、輝度ムラ（特に発光効率を優先した場合の輝度ムラ）を抑制することができる。
【００２２】
また、導光板の縁部は、内側よりも暗くなりやすい。そのため、表示色域を優先する場合（白色光源に比べて原色光源の光度を高めて点灯する場合（原色光源のみを点灯する場合を含む））に、導光板の端部に低光度の光源を配置すると、該縁部で内側よりも低輝度となる輝度ムラが発生してしまう。そこで、本実施例では、１つの光源群に含まれる複数の原色光源のうち、同一の駆動条件（電流または電圧）で駆動した場合に最も光度の高い発光色の原色光源を、該光源群の両端に配置する。具体的には、赤色光源、緑色光源、及び、青色光源を用いて白色光を実現する場合、緑色光源の光度は、赤色光源と青色光源の光度よりも高い。本実施例では、図２（Ａ）に示すように、緑色ＬＥＤを、１つの光源群の両端に配置する。それにより、表示色域を優先する場合の輝度ムラを抑制することができる。
【００２３】
また、光源（ＬＥＤ）には個体差があり、同じ発光色（例えば赤色）の光源であっても、それらの発光色はわずかに異なる。また、所望の発光色を得るために、発光色が異なる複数の光源を用いる場合がある。具体的には、所望の赤色光を得るために、主波長が異なる赤色光源を複数用いる場合がある。そして、赤色光源からの光（赤色光）は、他の色の光に比べ、人間の視覚特性上、認識されやすい。
そのため、１つの光源群に複数の赤色光源が含まれる場合に、それら赤色光源を互いに離れて配置すると、赤色光源間の発光色の違いが認識されてしまう虞がある（即ち、色ムラが発生する虞がある）。そこで、本実施例では、図２（Ａ）に示すように、１つの光源群に含まれる複数の赤色光源を隣接して配置する。それにより、複数の赤色光源から発せられた赤色光が混色しやすくなるため、赤色光源間の発光色の違いが認識されにくくなり、ひいては色ムラを抑制することができる。
【００２４】
また、本実施例では、１つの光源群に含まれる発光色が同じ光源を、該光源群に対応するブロックの中心を基準として対称配置したことにより、対称配置しない場合に比べ輝度ムラ、色ムラを抑制することができる。具体的には、１つのブロックの、中心よりもＬＥＤ組１０側の領域と、中心よりもＬＥＤ組１１側の領域とを同じように発光させることができ、ひいては輝度ムラ、色ムラを抑制することができる。
【００２５】
また、複数のブロックで共通の導光板を用いた構成では、ローカルディミング制御により一部のブロックの光源のみを発光させた場合に、発光していない他のブロックに光が漏
れる場合がある。そして、そのような光の漏れは、輝度ムラや色ムラの原因となる。本実施例では、導光板として、ブロック毎の複数の導光板を用いているため、上記光の漏れを抑制することができ、ひいては輝度ムラや色ムラを抑制することができる。
【００２６】
（光源の光度）
以下、輝度ムラや色ムラが抑制された発光を行うための各光源（ＬＥＤ）の光度の決定方法について説明する。以下の処理は、例えば、製品の出荷前にメーカにより行われる。なお、ブロックを複数の光源の配列方向に２つに分割することにより得られる領域をサブブロックとする。
【００２７】
本実施例では、光源の光度は、複数の光源（バックライト装置が有する全ＬＥＤ）を点灯させたときに、ブロックの中心位置と、該ブロックに隣接するブロックの中心位置との色差が、所定の閾値以下となるように決定される。それにより、輝度ムラ、色ムラが抑制された発光を行うことが可能となる。
また、本実施例では、光源の光度は、更に、複数の光源を点灯させたときに、サブブロックの中心位置と、該サブブロックに隣接する他のブロックのサブブロックの中心位置との色差が、所定の閾値以下となるように決定される。それにより、中心位置間の色度のみに基づく場合よりも、より輝度ムラ、色ムラが抑制された発光を行うことが可能となる。
【００２８】
具体的には、複数の光源を点灯させたときの、各ブロックの中心位置の輝度及び色度が測定される。同様に、複数の光源を点灯させたときの、各ブロックの中心位置の輝度及び色度が測定される。測定は、例えば、コニカミノルタ社製ＣＡ−３１０など、輝度と色度を測定できる装置を用いて行われる。
それにより、図２（Ａ）の点Ｐ１０での色度座標１０ｃ（ｘ１０，ｙ１０）、点Ｐ１１での色度座標１１ｃ（ｘ１１，ｙ１１）、点Ｐ１００での色度座標１００ｃ（ｘ１００，ｙ１００）が得られる。また、点Ｐ２０での色度座標２０ｃ（ｘ２０，ｙ２０）、点Ｐ２１での色度座標２１ｃ（ｘ２１，ｙ２１）、点Ｐ２００での色度座標２００ｃ（ｘ２００，ｙ２００）が得られる。
点Ｐ１００は、導光板１００の出射面の中心位置である。点Ｐ１０は、導光板１００の出射面の上側（ＬＥＤ組１０側）半分の領域の中心位置である。点Ｐ１１は、導光板１００の出射面の下側（ＬＥＤ組１１側）半分の領域の中心位置である。
点Ｐ２００は、導光板２００の出射面の中心位置である。点Ｐ２０は、導光板２００の出射面の上側（ＬＥＤ組２０側）半分の領域の中心位置である。点Ｐ２１は、導光板２００の出射面の下側（ＬＥＤ組２１側）半分の領域の中心位置である。
【００２９】
そして、色度座標１００ｃ（ｘ１００，ｙ１００）と色度座標２００ｃ（ｘ２００，ｙ２００）の各成分の差の絶対値が所定値（例えば、０．００３）以下となるように光源の光度が調整される。また、色度座標１１ｃ（ｘ１１，ｙ１１）と色度座標２０ｃ（ｘ２０，ｙ２０）の各成分の差の絶対値も所定値（例えば、０．００３）以下となるように光源の光度が調整される。
なお、理想的には、色度座標１０ｃ（ｘ１０，ｙ１０）と色度座標２１ｃ（ｘ２１，ｙ２１）の各成分の差の絶対値も所定値（例えば、０．００３）以下となるように光源の光度が調整されるのが好ましい。しかし、本実施例で色度座標１０ｃ（ｘ１０，ｙ１０）と色度座標２１ｃ（ｘ２１，ｙ２１）の各成分の差については、調整しないものとする。また、色度座標１１ｃ（ｘ１１，ｙ１１）と色度座標２０ｃ（ｘ２０，ｙ２０）の各成分の差の絶対値を所定値（例えば、０．００３）以下となるようにすることは、本発明において必須ではない。最低限、色度座標１００ｃ（ｘ１００，ｙ１００）と色度座標２００ｃ（ｘ２００，ｙ２００）の各成分の差の絶対値が所定値（例えば、０．００３）以下となるように光源の光度が調整されればよい。また、色度座標の差の許容値として、０．００３（ＣＩＥ表色系のｘ，ｙ色度図における目盛り）を例示しているが、これに限定される
ものではない。色度座標の差の許容値は、ディスプレイの特性によって異なり、例えば、０．０５程度であってもよい場合もある。
【００３０】
図３は、上記６つの色度座標をプロットしたグラフの一例を示す。図３のグラフは、横軸を色度座標（ｘ，ｙ）のｘ値、縦軸をｙ値とするグラフ（ＣＩＥ表色系のｘ，ｙ色度図）である。以下、色度座標１００ｃ（ｘ１００，ｙ１００）と色度座標２００ｃ（ｘ２００，ｙ２００）の各成分の差の絶対値が所定値（例えば、０．００３）以下となるように光源の光度を調整する場合の例について説明する。
色度座標２００ｃ（ｘ２００，ｙ２００）を固定とし、色度座標１００ｃ（ｘ１００，ｙ１００）を変化させる場合には、色度座標１００ｃ（ｘ１００，ｙ１００）の点が図３の破線３０１で示す領域内に位置するように、光源（原色光源）の光度が調整される。色度座標１００ｃ（ｘ１００，ｙ１００）の位置を移動するよう調整すると、色度座標１０ｃ（ｘ１０，ｙ１０）と色度座標１１ｃ（ｘ１１，ｙ１１）の位置も移動する。
例えば、色度座標１００ｃ（ｘ１００，ｙ１００）が色度座標２００ｃ（ｘ２００，ｙ２００）よりも赤色寄りである場合には、ＬＥＤ組１０やＬＥＤ組１１の赤色光源の光度が低くされる。その後、輝度と色度が再測定される。上記条件を満たすまで（色度座標１００ｃ（ｘ１００，ｙ１００）の点が破線３０１で示す領域内に位置するまで）、光度の変更、及び、輝度と色度の調整及び測定が繰り返される。その結果、輝度ムラや色ムラの少ない発光を行うための各光源（ＬＥＤ）の光度が決定される。
なお、理想的には、色度座標１００ｃ（ｘ１００，ｙ１００）と色度座標２００ｃ（ｘ２００，ｙ２００）の各成分の差、色度座標１１ｃ（ｘ１１，ｙ１１）と色度座標２０ｃ（ｘ２０，ｙ２０）の各成分の差、色度座標１０ｃ（ｘ１０，ｙ１０）と色度座標２１ｃ（ｘ２１，ｙ２１）の各成分の差が全てゼロとなるのが好ましい。しかし、現実的には全ての差をゼロとするのは困難であるため、色度座標１００ｃ（ｘ１００，ｙ１００）と色度座標２００ｃ（ｘ２００，ｙ２００）の各成分の差がほぼゼロとなるように光源の光度が調整される。
【００３１】
なお、本実施例では、バックライト装置が有する全ＬＥＤを点灯した状態で各点の輝度と色度が測定されるものとしたが、各点の輝度と色度は、対応するＬＥＤのみを点灯した状態で測定されてもよい。例えば、ＬＥＤ組１０のみを点灯した状態で点Ｐ１０の輝度と色度が測定されてもよい。ＬＥＤ組１０，１１のみを点灯した状態で点Ｐ１００の輝度と色度が測定されてもよい。
【００３２】
以上述べたように、本実施例によれば、１つの光源群に含まれる複数の原色光源のうち、同一の駆動条件（電流または電圧）で駆動した場合に最も光度の高い発光色の原色光源を、該光源群の両端に配置し、且つ、白色光源を等間隔に配置した。それにより、原色光源の光度と白色光源の光度とをそれぞれ独立に制御する場合において、輝度ムラを抑制することができる。具体的には、原色光源に比べて白色光源の光度を高めて点灯する場合と、白色光源に比べて原色光源の光度を高めて点灯させる場合との両方の場合において、輝度ムラを抑制することができる。
【００３３】
なお、上述したバックライト装置は、そのままエッジライト型バックライト装置として用いることができる。また、上述したバックライト装置を、光源の配列方向に垂直な方向に複数配列することにより、タンデム型バックライト装置を構成することができる。
なお、本実施例では、１つの導光板が１つの入射面を有する場合について説明したが、１つの導光板が複数の入射面を有していてもよい。例えば、図２（Ｂ）の面ａと反対側の面にも複数の光源が配列されていてもよい。
なお、本実施例では、光源がＬＥＤの場合について説明したが、光源はＬＥＤに限らない。例えば、光源は蛍光管であってもよい。
なお、導光板と液晶パネルの間に設けられる拡散板（図１（Ａ），（Ｂ）の拡散シート
）と、導光板との距離を調整することによって色ムラ、輝度ムラを更に抑制することができる。
【００３４】
なお、本実施例では、１つの光源群に含まれる発光色が同じ光源が、該光源群に対応するブロックの中心を基準として対称配置されている場合について説明したが、そのような構成でなくてもよい。１つの光源群に含まれる複数の原色光源のうち、同一の駆動条件（電流または電圧）で駆動した場合に最も光度の高い発光色の原色光源が、該光源群の両端に配置され、且つ、白色光源が等間隔に配置されればよい。例えば、図４に示すように、１つの光源群が、２つの緑色光源、２つの白色光源、１つの赤色光源、１つの青色光源からなる構成であってもよい。
なお、本実施例では、ブロック毎の複数の導光板を用いた構成について説明したが、この構成に限らない。図５に示すように１枚の導光板のみを用いる構成であってもよい。複数ブロック毎に１枚の導光板を用いる構成であってもよい（例えば、ブロック数が８の場合には、２ブロック毎に１枚の導光板が用いられてもよい）。
【００３５】
＜実施例２＞
（構成）
以下、本発明の実施例２に係るバックライト装置について説明する。図６及び図７は、本実施例に係るバックライト装置の構成の一例を示す。
本実施例に係るバックライト装置では、１つの光源群は、赤色光源、緑色光源、及び、黄色光源（Ｙ）を含む。黄色光源は、黄色光源、橙色光源、黄緑色光源などの黄色系の光源である。
１つの光源群に含まれる黄色光源は、該光源群に含まれる赤色光源または緑色光源のうち、少なくとも主波長の差が小さい方の光源に隣接して配置される。具体的には、黄色光源（黄色ＬＥＤ）の主波長が５８０ｎｍ以上６１０ｎｍ以下の場合には、図６に示すように、黄色ＬＥＤは、赤色ＬＥＤに隣接して（赤色ＬＥＤと白色ＬＥＤの間に）配置される。また、黄色ＬＥＤの主波長が５５０ｎｍ以上５７９ｎｍ以下の場合には、図７に示すように、黄色ＬＥＤは、緑色ＬＥＤに隣接して（緑色ＬＥＤと白色ＬＥＤの間に）配置される。
【００３６】
（効果）
黄色光源を用いる構成では、黄色光源からの光と赤色光源からの光を混色して所望の色の光を実現することを目的とする場合と、黄色光源からの光と緑色光源からの光を混色して所望の色の光を実現することを目的とする場合とが考えられる。
黄色光源の主波長が赤色光源の主波長に近い場合は、黄色光源からの光と赤色光源からの光を混色して所望の色の光を実現することを目的としている場合である。そのため、黄色光源を赤色光源に隣接して配置することにより、それらの光源からの光が混色しやすくなる（所望の色の光が得やすくなる）。その結果、色ムラを抑制することが可能なる。
黄色光源の主波長が緑色光源の主波長に近い場合は、黄色光源からの光と緑色光源からの光を混色して所望の色の光を実現することを目的としている場合である。そのため、黄色光源を緑色光源に隣接して配置することにより、それらの光源からの光が混色しやすくなる（所望の色の光が得やすくなる）。その結果、色ムラを抑制することが可能なる。
【００３７】
以上述べたように、本実施例によれば、１つの光源群に含まれる黄色光源は、該光源群に含まれる赤色光源または緑色光源のうち、少なくとも主波長の差が小さい方の光源に隣接して配置される。それにより、色ムラを抑制することができる。
【００３８】
＜実施例３＞
以下、本発明の実施例３に係るバックライト装置について説明する。本実施例に係るバックライト装置の構成は実施例１と同様のため、その説明は省略する。本実施例では、輝
度ムラや色ムラが抑制された発光を行うための各光源（ＬＥＤ）の光度の決定方法が実施例１と異なる。以下、詳しく説明する。
【００３９】
（光源の光度）
本実施例では、光源の光度は、複数の光源（バックライト装置が有する全てのＬＥＤ）を点灯させたときに、ブロックの中心位置、及び、該ブロックに隣接するブロックの中心位置と、それら中心位置間の中点との色差が、所定の閾値以下となるように決定される。
【００４０】
具体的には、実施例１と同様に、点Ｐ１１、点Ｐ１００、点Ｐ２０、点Ｐ２００での輝度と色度が測定される。
次に、点Ｐ１１の輝度値Ｙ１１と色度座標１１ｃ（ｘ１１，ｙ１１）、及び、点Ｐ２０の輝度値Ｙ２０と色度座標２０ｃ（ｘ２０，ｙ２０）を用いて、以下の式１により、点Ｐ１００と点Ｐ２００の中点（図２（Ａ）の点Ｐ１）での色度座標が算出される。
ｘ１＝（Ｙ１１×ｘ１１×ｙ２０＋Ｙ２０×ｘ２０×ｙ１１）
÷（Ｙ１１×ｙ２０＋Ｙ２０×ｙ１１）
ｙ１＝ｙ１１×ｙ２０×（Ｙ１１＋Ｙ２０）÷（Ｙ１１×ｙ２０＋Ｙ２０×ｙ１１）
・・・・・（式１）
【００４１】
そして、算出された色度座標１ｃ（ｘ１，ｙ１）と色度座標１００ｃ（ｘ１００，ｙ１００）の差の絶対値、及び、色度座標１ｃ（ｘ１，ｙ１）と色度座標２００ｃ（ｘ２００，ｙ２００）の差の絶対値が所定値（例えば、０．００３）以下となるように光源の光度が調整される。例えば、点Ｐ１の色度座標が点Ｐ１００と点Ｐ２００の色度座標よりも赤色寄りである場合には、ＬＥＤ組１１とＬＥＤ組２０の赤色光源の光度が低くされる。
【００４２】
以上述べたように、本実施例によれば、光源の光度は、複数の光源を点灯させたときに、ブロックの中心位置、及び、該ブロックに隣接するブロックの中心位置と、それら中心位置間の中点との色差が、所定の閾値以下となるように決定される。それにより、輝度ムラ、色ムラを抑制することができる。
また、本実施例では、中点Ｐ１での色度座標と点Ｐ１００の色度座標及び点Ｐ２００の色度座標を比較するため（点Ｐ１００の色度座標と点Ｐ２００の色度座標の差を考慮しないため）、実施例１と比較して制約条件が緩和されている。そのため、ブロックのサイズが大きいや光源の性能のバラつきが大きい場合には本実施例を適用することが好ましい。
【００４３】
なお、中点Ｐ１での色度座標の算出方法はこれに限らない。点Ｐ１１と点Ｐ２０以外の点の輝度値と色度座標を用いて算出してもよい。互いに隣接するブロック間で導光板が共通の場合には、上記中点の色度座標は測定により取得されてもよい。
【符号の説明】
【００４４】
１０，１１，２０，２１  ＬＥＤ組
１００，２００  導光板
【図１】
0005725987.tif 000002
【図２】
0005725987.tif 000003
【図３】
0005725987.tif 000004
【図４】
0005725987.tif 000005
【図５】
0005725987.tif 000006
【図６】
0005725987.tif 000007
【図７】
0005725987.tif 000008